(57)【特許請求の範囲】
【請求項１】
キャビネット本体と、
該キャビネット本体に収容され、該キャビネット本体から前方向に引き出し可能な机と
を備えるキャビネットにおいて、
夫々前記キャビネット本体に収容され、該キャビネット本体から前方向に引き出し可能な２個の椅子を備え、
該２個の椅子は、前記机を介在して左右方向に対向配置されており、
前記机は、
机本体と、
該机本体の天板に着脱可能に載置される天板部材と、
前記天板よりも下側に配されたヒータと
を有し、
前記机と前記キャビネット本体との間に、前記机本体を覆う断熱シートを収容可能なシート収容空間が設けられていることを特徴とするキャビネット。
【請求項２】
キャビネット本体と、
該キャビネット本体に収容され、該キャビネット本体から前方向に引き出し可能な机と
を備えるキャビネットにおいて、
夫々前記キャビネット本体に収容され、該キャビネット本体から前方向に引き出し可能な２個の椅子を備え、
該２個の椅子は、前記机を介在して左右方向に対向配置されており、
前記机は、
机本体と、
該机本体の天板に着脱可能に載置される天板部材と、
前記天板よりも下側に配されたヒータと
を有し、
前記キャビネット本体は、
前記椅子が１個ずつ収容される２個の椅子用キャビネットと、
前記机が収容される机用キャビネットと
を有し、
該机用キャビネットは、
前記天板を支持し、前記天板の出し入れを案内する案内レールと、
該案内レールが配された側壁と、
前記天板及び該天板に載置された天板部材が挿通される開口が設けられている前壁と
を有し、
前記机本体は、
前記天板の前端部から垂下し、前記前壁に対面配置される対面板を更に有することを特徴とするキャビネット。
【請求項３】
キャビネット本体と、
該キャビネット本体に収容され、該キャビネット本体から前方向に引き出し可能な机と
を備えるキャビネットにおいて、
夫々前記キャビネット本体に収容され、該キャビネット本体から前方向に引き出し可能な２個の椅子を備え、
該２個の椅子は、前記机を介在して左右方向に対向配置されており、
前記キャビネット本体の天壁は、
前記キャビネット本体に収容された机の上側に開口が設けられている天壁本体と、
前記開口を開閉する蓋部材と
を有することを特徴とするキャビネット。
【請求項４】
前記机は、
机本体と、
該机本体の天板に着脱可能に載置される天板部材と、
前記天板よりも下側に配されたヒータと
を有することを特徴とする請求項３に記載のキャビネット。
【請求項５】
前記机と前記キャビネット本体との間に、前記机本体を覆う断熱シートを収容可能なシート収容空間が設けられていることを特徴とする請求項４に記載のキャビネット。
【請求項６】
前記キャビネット本体は、
前記椅子が１個ずつ収容される２個の椅子用キャビネットと、
前記机が収容される机用キャビネットと
を有し、
該机用キャビネットは、
前記天板を支持し、前記天板の出し入れを案内する案内レールと、
該案内レールが配された側壁と、
前記天板及び該天板に載置された天板部材が挿通される開口が設けられている前壁と
を有し、
前記机本体は、
前記天板の前端部から垂下し、前記前壁に対面配置される対面板を更に有することを特徴とする請求項１、４、又は５に記載のキャビネット。
【請求項７】
前記机本体は、
前記天板の前端部を下側から支持し、前側が開放されている箱状のキャスター付き収容棚を有することを特徴とする請求項１、２、４乃至６の何れか一項に記載のキャビネット。
【請求項８】
各椅子は、
上部が開放された箱状部材と、
前記上部を開閉する座面部材と
を有することを特徴とする請求項１乃至７の何れか一項に記載のキャビネット。
【請求項９】
各椅子の上側に抽斗を備えることを特徴とする請求項１乃至８の何れか一項に記載のキャビネット。
【請求項１０】
前記キャビネット本体は、一側にヘッドボードを有することを特徴とする請求項１乃至９の何れか一項に記載のキャビネット。
【請求項１１】
前記キャビネット本体の後側に、板状部材が前記キャビネット本体の天壁よりも高く立設してあり、
前記板状部材の上端部若しくは上下方向中央部から、物品が載置される被載置部又は物品が掛止される被掛止部が前向きに突設してあることを特徴とする請求項１乃至１０の何れか一項に記載のキャビネット。
【請求項１２】
前記キャビネット本体の天壁は、
前記キャビネット本体に収容された机の上側に開口が設けられている天壁本体と、
前記開口を開閉する蓋部材と
を有することを特徴とする請求項１乃至１１の何れか一項に記載のキャビネット。
【発明の詳細な説明】
【技術分野】
【０００１】
本発明は、机を出し入れすることが可能なキャビネットに関する。
【背景技術】
【０００２】
キャビネットは、引き出し可能な机を収容していることがある（特許文献１，２参照）。
【先行技術文献】
【特許文献】
【０００３】
【特許文献１】実開昭５８−１７３３４３号公報
【特許文献２】特開２００８−３０１９７６号公報
【発明の概要】
【発明が解決しようとする課題】
【０００４】
しかしながら、特許文献１，２に記載のキャビネットには椅子が付属していない。故に、机を使用する際には椅子を別途用意する必要がある。
また、特許文献１，２に記載のキャビネットには、椅子を収容するための空間が設けられていない。
【０００５】
特許文献２に記載のキャビネットの場合、キャビネットに収容された机の下側に椅子を収容することができるかもしれない。
とはいえ、キャビネットに収容された机の両隣には、整理棚と、キャビネットの上部に設けられている寝台へ上がるための梯子とが配されている。故に、椅子を単独で使うときにも、椅子を取り出すために机を引き出さなければならない。
【０００６】
本発明は斯かる事情に鑑みてなされたものであり、その主たる目的は、コンパクトで利便性が高いキャビネットを提供することにある。
【課題を解決するための手段】
【０００７】
本発明に係るキャビネットは、キャビネット本体と、該キャビネット本体に収容され、該キャビネット本体から前方向に引き出し可能な机とを備えるキャビネットにおいて、夫々前記キャビネット本体に収容され、該キャビネット本体から前方向に引き出し可能な２個の椅子を備え、該２個の椅子は、前記机を介在して左右方向に対向配置されており、前記机は、机本体と、該机本体の天板に着脱可能に載置される天板部材と、前記天板よりも下側に配されたヒータとを有し、前記机と前記キャビネット本体との間に、前記机本体を覆う断熱シートを収容可能なシート収容空間が設けられていることを特徴とする。
本発明に係るキャビネットは、キャビネット本体と、該キャビネット本体に収容され、該キャビネット本体から前方向に引き出し可能な机とを備えるキャビネットにおいて、夫々前記キャビネット本体に収容され、該キャビネット本体から前方向に引き出し可能な２個の椅子を備え、該２個の椅子は、前記机を介在して左右方向に対向配置されており、前記机は、机本体と、該机本体の天板に着脱可能に載置される天板部材と、前記天板よりも下側に配されたヒータとを有し、前記キャビネット本体は、前記椅子が１個ずつ収容される２個の椅子用キャビネットと、前記机が収容される机用キャビネットとを有し、該机用キャビネットは、前記天板を支持し、前記天板の出し入れを案内する案内レールと、該案内レールが配された側壁と、前記天板及び該天板に載置された天板部材が挿通される開口が設けられている前壁とを有し、前記机本体は、前記天板の前端部から垂下し、前記前壁に対面配置される対面板を更に有することを特徴とする。
本発明に係るキャビネットは、キャビネット本体と、該キャビネット本体に収容され、該キャビネット本体から前方向に引き出し可能な机とを備えるキャビネットにおいて、夫々前記キャビネット本体に収容され、該キャビネット本体から前方向に引き出し可能な２個の椅子を備え、該２個の椅子は、前記机を介在して左右方向に対向配置されており、前記キャビネット本体の天壁は、前記キャビネット本体に収容された机の上側に開口が設けられている天壁本体と、前記開口を開閉する蓋部材とを有することを特徴とする。
【００１０】
本発明に係るキャビネットは、前記机は、机本体と、該机本体の天板に着脱可能に載置される天板部材と、前記天板よりも下側に配されたヒータとを有することを特徴とする。
【００１１】
本発明に係るキャビネットは、前記机と前記キャビネット本体との間に、前記机本体を覆う断熱シートを収容可能なシート収容空間が設けられていることを特徴とする。
【００１２】
本発明に係るキャビネットは、前記キャビネット本体は、前記椅子が１個ずつ収容される２個の椅子用キャビネットと、前記机が収容される机用キャビネットとを有し、該机用キャビネットは、前記天板を支持し、前記天板の出し入れを案内する案内レールと、該案内レールが配された側壁と、前記天板及び該天板に載置された天板部材が挿通される開口が設けられている前壁とを有し、前記机本体は、前記天板の前端部から垂下し、前記前壁に対面配置される対面板を更に有することを特徴とする。
【００１３】
本発明に係るキャビネットは、前記机本体は、前記天板の前端部を下側から支持し、前側が開放されている箱状のキャスター付き収容棚を有することを特徴とする。
本発明に係るキャビネットは、各椅子は、上部が開放された箱状部材と、前記上部を開閉する座面部材とを有することを特徴とする。
本発明に係るキャビネットは、各椅子の上側に抽斗を備えることを特徴とする。
【００１４】
本発明に係るキャビネットは、前記キャビネット本体は、一側にヘッドボードを有することを特徴とする。
【００１５】
本発明に係るキャビネットは、前記キャビネット本体の後側に、板状部材が前記キャビネット本体の天壁よりも高く立設してあり、前記板状部材の上端部若しくは上下方向中央部から、物品が載置される被載置部又は物品が掛止される被掛止部が前向きに突設してあることを特徴とする。
【００１６】
本発明に係るキャビネットは、前記キャビネット本体の天壁は、前記キャビネット本体に収容された机の上側に開口が設けられている天壁本体と、前記開口を開閉する蓋部材とを有することを特徴とする。
【００１７】
本発明にあっては、キャビネット本体に机と２個の椅子とが収容される。
また、キャビネット本体に対して机と２個の椅子とが個別に出し入れされる。
２個の椅子は、机を介在して左右方向に対向配置されている。従って、２人の使用者が、机を介在して左右方向に対面して夫々椅子に座ることができる。
【００１８】
本発明にあっては、椅子の内部を、物品を収容する空間として利用することができる。故に、キャビネットの物品収容能力が向上する。
また、椅子の不使用時にも、椅子の配置場所がデッドスぺースにならない。故に、キャビネットが設置されている室内を有効利用することができる。
【００１９】
本発明にあっては、抽斗の内部を、物品を収容する空間として利用することができる。故に、キャビネットの物品収容能力が向上する。
机の天面に比べて椅子の座面は低い位置に配される。しかしながら、椅子の上側の空間に引き出しが配されるので、この空間がデッドスぺースにならない。故に、キャビネットが設置されている室内を有効利用することができる。
【００２０】
本発明にあっては、ヒータによって机の下側の空間を暖めることができる。
また、机本体と天板部材との間に断熱シートを挟んで机本体を覆えば、机をコタツとして利用することができる。
【００２１】
本発明にあっては、キャビネット本体に断熱シートごと机を収容することができる。
【００２２】
本発明にあっては、机の下側の空間が、前後を対面板と前壁とに囲まれる。故に、机をコタツとして利用する場合の保温性を向上させることができる。
【００２３】
本発明にあっては、収容棚が机本体の脚部として機能する。つまり、机本体の脚部を、物品を収容する空間として利用することができる。故に、キャビネットの物品収容能力が向上する。
しかも、収容棚はキャスター付きである。従って、机を円滑に出し入れすることができる。
【００２４】
本発明にあっては、キャビネット本体を、寝台として利用することができる。換言すれば、キャビネット本体の上側の空間を就寝空間として利用することができる。故に、キャビネットが設置されている室内を有効利用することができる。
【００２５】
本発明にあっては、キャビネット本体の上側の空間を、物品を載置する空間又は物品を掛止しておく空間として利用することができる。故に、キャビネットが設置されている室内を有効利用することができる。
【００２６】
本発明にあっては、キャビネットに収容した机の下側の空間を、物品を収容する空間として利用することができる。故に、キャビネットの物品収容能力が向上する。
また、机を収容する空間がデッドスぺースにならない。故に、キャビネットが設置されている室内を有効利用することができる。
【００２７】
キャビネットに収容した机の下側の空間に対する物品の出し入れは、机を引き出し、蓋部材を開けることによって行なわれる。従って、使用者が机の下側の空間に潜って物品を出し入れする必要はない。つまり、物品の出し入れが比較的容易である。
【発明の効果】
【００２８】
本発明のキャビネットによる場合、キャビネット本体に対して机と２個の椅子とが引き出し可能に収容される。
即ち、不使用時に机と２個の椅子とをコンパクトに収容しておくことができる。
また、必要に応じて机と２個の椅子とを個別に出し入れすることができる。故に、机を使用する際に椅子を別途用意する必要がなく、机だけ（又は椅子だけ）を使用する際に机と椅子とを両方とも引き出す必要がない。即ち、利便性が高い。
【００２９】
しかも、椅子が２個付属しているので、例えば２人の使用者が差し向かいで机を共用したり話し合ったりする場合に好適である。
【図面の簡単な説明】
【００３０】
【図１】本発明の実施の形態１に係るキャビネットの構成を略示する斜視図である。
【図２】キャビネットの構成を略示する正面図である。
【図３】キャビネットの構成を略示する平面図である。
【図４】図２におけるIV−IV線の断面図である。
【図５】図２におけるＶ−Ｖ線の断面図である。
【図６】本発明の実施の形態２に係るキャビネットの構成を略示する正面図である。
【発明を実施するための形態】
【００３１】
以下、本発明を、その実施の形態を示す図面に基づいて詳述する。以下の説明では、図１において矢符で示す上下、前後、及び左右を使用する。
【００３２】
実施の形態  １．
図１、図２、及び図３は、本発明の実施の形態１に係るキャビネット１の構成を略示する斜視図、正面図、及び平面図である。図２（及び図３）に向かって上下左右方向は、キャビネット１の上下左右方向（及び後前左右方向）である。
図４及び図５は、図２におけるIV−IV線及びＶ−Ｖ線の断面図である。図４及び図５夫々に向かって上下左右方向は、キャビネット１の上下前後方向である。
【００３３】
キャビネット１は、室内の床に設置されている。キャビネット１はキャビネット本体１１と衝立１２とを備えている。
キャビネット本体１１は、机用キャビネット２と、２個の椅子用キャビネット３，３と、ヘッドボード１１１、フットボード１１２、及びサイドガード１１３とを有する。
衝立１２は、板状部材１２１、長押１２２（被掛止部）、及び棚板１２３（被載置部）を有する。
【００３４】
机用キャビネット２は、前壁２１、後壁２２、天壁２３、左壁２４（側壁）、右壁２５（側壁）、及び底壁２６を有し、机４を前方向に引き出し可能に収容する。
前壁２１には前壁開口２１１が設けられている。
天壁２３は、天壁本体２３１と蓋部材２３２とを有する。天壁本体２３１には天壁開口２３３が設けられている。
左壁２４及び右壁２５は案内レール２４１，２５１を有する。
【００３５】
各椅子用キャビネット３は、後壁３２、天壁３３、及び側壁３４と被当接部材３５とを有し、抽斗３６及び椅子５夫々を前方向に引き出し可能に収容する。
机４は、天板４１と収容棚４２（キャスター付き収容棚）と当接部４３とを有する。
椅子５は、箱状部材５１と座面部材５２とを有する。
【００３６】
まず、キャビネット本体１１について説明する。
キャビネット本体１１は、机用キャビネット２の左右両側に１個ずつ椅子用キャビネット３，３が配された左右方向に長い直方体状をなしている。机用キャビネット２の天壁２３及び各椅子用キャビネット３の天壁３３夫々の上面は面一に配されている。天壁２３，３３，３３上には、一般的なシングルサイズの蒲団又はマットレス等が載置可能である。
【００３７】
キャビネット本体１１のヘッドボード１１１、フットボード１１２、及びサイドガード１１３は夫々矩形平板状をなしている。
ヘッドボード１１１は左側の椅子用キャビネット３が有する左側の側壁３４に密着配置されており、天壁３３よりも高く突出している。同様に、フットボード１１２は右側の椅子用キャビネット３が有する右側の側壁３４に密着配置されており、天壁３３よりも高く突出している。この結果、ヘッドボード１１１及びフットボード１１２は、机用キャビネット２及び椅子用キャビネット３，３を介在して左右方向に対面している。
【００３８】
サイドガード１１３は、フットボード１１２の前端面に接し、フットボード１１２から左向きに突出している。サイドガード１１３は、右側の椅子用キャビネット３が有する天壁３３から机用キャビネット２の天壁２３の左右方向中央部に亘って配されている。サイドガード１１３は天壁２３，３３の前端部に載置されている。
以上のようなキャビネット本体１１は、寝台として機能する。即ち、天壁２３，３３，３３の上面と上方とを、就寝空間として利用することができる。
【００３９】
なお、キャビネット本体１１は、フットボード１１２及びサイドガード１１３を有していなくてもよい。また、キャビネット本体１１を寝台として用いないのであれば、ヘッドボード１１１、フットボード１１２、及びサイドガード１１３を備えている必要はない。
【００４０】
次に、衝立１２について説明する。
衝立１２の板状部材１２１は、上下左右方向に平らな矩形板状をなす。板状部材１２１の下辺部は、机用キャビネット２の後壁２２及び各椅子用キャビネット３の後壁３２夫々の後面の上辺部に取り付けられており、天壁２３，３３，３３よりも高く突出している。従って、板状部材１２１は、机用キャビネット２及び椅子用キャビネット３を介在してサイドガード１１３に対面配置されている。
【００４１】
以上の結果、天壁２３，３３，３３は、前側の右半分と後側と左右両側とをヘッドボード１１１、フットボード１１２、サイドガード１１３、及び板状部材１２１に囲繞されている。ヘッドボード１１１、フットボード１１２、サイドガード１１３、及び板状部材１２１は、天壁２３，３３，３３上に載置された蒲団又はマットレス等の落下、及びキャビネット本体１１を寝台として用いる使用者の落下を抑制する。
天壁２３，３３，３３の前側の左半分は開放されている。従って、キャビネット１の使用者は、天壁２３，３３，３３の前側の左半分に設けられている開放部分から就寝空間に入ればよい。
【００４２】
ヘッドボード１１１又は板状部材１２１が部屋の壁に密着配置されている場合、防音及び断熱効果を向上させることができる。
一方、ヘッドボード１１１又は板状部材１２１と部屋の壁との間に居住空間がある場合、ヘッドボード１１１又は板状部材１２１は就寝空間の目隠しとして機能する。
【００４３】
長押１２２は、板状部材１２１の上端部から前向きに突出している。本実施の形態の長押１２２は前後左右方向に平らな矩形板状であり、天壁２３，３３，３３夫々の後辺部に対面配置されている。長押１２２には、例えば洋服掛けが掛止される。このために、長押１２２の上面の前端部には、例えば左右方向に延びる図示しない溝が設けられている。
なお、長押１２２は前端部が上向きに沿っている構成でもよく、ハンガーボード状でもよい。
【００４４】
長押１２２の左端部はヘッドボード１１１の上端面に載置されている。つまり、長押１２２はヘッドボード１１１によって下側から支持されているので、脱落し難い。なお、長押１２２の板状部材１２１に対する固定強度が十分であれば、長押１２２はヘッドボード１１１から離隔配置されていてもよい。
【００４５】
棚板１２３は前後左右方向に平らな矩形板状をなす。棚板１２３は板状部材１２１の上下方向中央部から前向きに突出している。棚板１２３の板状部材１２１からの突出量は、長押１２２の板状部材１２１からの突出量以下である。棚板１２３には、物品（例えば書籍）が載置される。なお、棚板１２３は複数設けられていてもよい。
長押１２２から吊り下げられた物品（例えば洋服掛けに掛けられた衣類）は、棚板１２３よりも前側に配されるので、棚板１２３に載置されている物品には干渉し難い。
長押１２２及び棚板１２３は、板状部材１２１を補強して板状部材１２１の無用な変形（例えば反り）を抑制する補強部材としても機能する。
【００４６】
なお、棚板１２３の右端部がフットボード１１２の上端面に載置されてもいてよい。また、棚板１２３のような棚板がヘッドボード１１１に突設されていてもよい。
長押１２２は板状部材１２１の上下方向中央部から前向きに突出していてもよい。ただし、長押１２２から吊り下げられた物品が棚板１２３に載置されている物品に干渉しないように両者を配置する必要がある。
【００４７】
板状部材１２１は１枚の平板部材を用いてなる構成でもよく、後壁２２，３２，３２に１枚ずつ取り付けられた３枚の平板部材が並置された構成でもよい。後者の場合、長押１２２及び／又は棚板１２３は、３枚の平板部材を連結する連結部材としても機能するよう構成されていることが望ましい。
【００４８】
更に、ヘッドボード１１１又は板状部材１２１に電源タップが埋設されていたり照明装置（例えばアームライト）が突設されていたりしてもよい。また、長押１２２に照明装置（例えばＬＥＤテープ）が配されていてもよい。電源タップ又は照明装置は電源コードを介して部屋のコンセントに接続されていればよい。照明装置が天壁２３，３３，３３側へ投光すれば直接照明が得られ、部屋の壁又は天井等へ投光すれば間接照明が得られる。
【００４９】
次に、机用キャビネット２について説明する。
机用キャビネット２は、前後方向に長い直方体状をなしている。机用キャビネット２の前壁２１、後壁２２、天壁２３、左壁２４、右壁２５、及び底壁２６は、各矩形平板状をなす。
前壁２１、後壁２２、左壁２４、及び右壁２５夫々は、下端面が床に接している。前壁２１、後壁２２、天壁２３、及び底壁２６夫々の左右両端面は、左壁２４の右面と右壁２５の左面とに接している。後壁２２の上端面には天壁２３の後端部が載置されている。左壁２４及び右壁２５夫々の上端面は、天壁２３の上面に面一である。
【００５０】
前壁２１の上部には矩形状の前壁開口２１１が設けられている。このために、前壁２１の上下方向の長さは、後壁２２、左壁２４、及び右壁２５夫々の上下方向の長さよりも短くしてある。
天壁２３、左壁２４、及び右壁２５夫々の前端面の前後方向の配置位置は同程度である。前壁２１の前面の前後方向の配置位置は、天壁２３、左壁２４、及び右壁２５夫々の前端面よりも後ろ側である。前壁開口２１１は、前壁２１の上端面、天壁２３の下面、左壁２４の右面、及び右壁２５の左面に囲繞された空間である。
【００５１】
後壁２２は、上下左右方向中央部が格子窓状をなす。格子窓を構成する桟同士の間は開口している。後壁２２の開口は、一般的な電源コードのプラグが通過可能なサイズである。後壁２２の開口は、机用キャビネット２の内部の通気性を確保し、また、電源コードの引き回しのために用いられる。
なお、後壁２２は、部分的に格子窓状になしてあるものに限定されない。後壁２２は、後壁２２の強度を損なわない程度に１又は複数の開口を設けてあるものであれば、例えば全面的にパンチングボード状になしてあるものでもよい。
【００５２】
天壁２３の天壁本体２３１には、前端部及び左右方向両端部に亘って、矩形状の天壁開口２３３が設けられている。
蓋部材２３２は、天壁開口２３３を開閉する。このために、天壁本体２３１の開口周縁部の前辺部には、蓋部材２３２の前端部を受け止める段部が設けられている。蓋部材２３２の後端部は後壁２２の上端面によって受け止められる。
蓋部材２３２が天壁開口２３３を閉鎖している場合、天壁本体２３１の上面と天壁開口２３３の上面とは面一である。
【００５３】
左壁２４の案内レール２４１は、前後方向に長い矩形棒状をなす。案内レール２４１は左壁２４の右面に取り付けられており、左壁２４の前端部から後端部近傍に亘って配されている。案内レール２４１の上面は、前壁２１の上端面よりも適長高い位置に配されている。本実施の形態では、案内レール２４１の下面が前壁２１の上端面と同程度の高さに配されている。
右壁２５の案内レール２５１は、右壁２５の左面に取り付けられており、右壁２５の前端部から後端部近傍に亘って配されている点を除けば、案内レール２４１と同様の構成である。
【００５４】
次に、椅子用キャビネット３，３について説明する。
各椅子用キャビネット３は、前後方向に長い直方体状をなしている。椅子用キャビネット３の、後壁３２、天壁３３、及び側壁３４は、各矩形平板状をなす。
左右両側の椅子用キャビネット３，３の差異は、左側の椅子用キャビネット３の場合、側壁３４が椅子用キャビネット３の左壁を構成しており、右側の椅子用キャビネット３の場合、側壁３４が椅子用キャビネット３の右壁を構成していることである。左側の椅子用キャビネット３は机用キャビネット２の左側に密着配置されるので、右壁が省略されている。同様に、右側の椅子用キャビネット３は机用キャビネット２の右側に密着配置されるので、左壁が省略されている。
【００５５】
なお、各椅子用キャビネット３が左右両壁を有している構成でもよい。
また、左側の椅子用キャビネット３が有する側壁３４を上向きに延設して、延設部分をヘッドボードとして用いてもよい。同様に、右側の椅子用キャビネット３が有する側壁３４を上向きに延設して、延設部分をフットボードとして用いてもよい。
以下では、右側の椅子用キャビネット３について説明する。
【００５６】
後壁３２及び側壁３４夫々は、下端面が床に接している。後壁３２の右端面は側壁３４の左面に接している。後壁３２の上端面には天壁３３の後端部が載置されている。側壁３４の上端面は、天壁３３の上面に面一である。天壁３３及び側壁３４夫々の前端面の前後方向の配置位置は同程度である。
後壁３２には、机用キャビネット２の後壁２２と同様に、開口が設けられている。後壁３２の開口は、椅子用キャビネット３の内部の通気性を確保し、また、電源コードの引き回しのために用いられる。
【００５７】
側壁３４の左面と机用キャビネット２が有する右壁２５の右面には、抽斗３６の前後方向の出し入れを案内する抽斗用レールが取り付けられている。
また、側壁３４及び右壁２５夫々の前端部における上下方向中央部同士に亘って、左右方向に長い棒状の被当接部材３５が配されている。被当接部材３５よりも上側／下側が椅子用キャビネット３の上段／下段である。
椅子用キャビネット３は、上段に抽斗３６を収容し、下段に椅子５を収容する。
【００５８】
次に、机４について説明する。
机４の天板４１は矩形平板状をなす。天板４１は、机用キャビネット２の前壁開口２１１に挿通してある。天板４１の後辺部は常に机用キャビネット２の内部にあり、前辺部から前後方向中央部までは机用キャビネット２に対して出没する。天板４１の下面における左辺部及び右辺部は案内レール２４１，２５１夫々の上面に載置されている。この結果、天板４１は案内レール２４１，２５１によって下側から支持されている。天板４１は案内レール２４１，２５１に沿って案内レール２４１，２５１夫々の上面に摺動する。この結果、天板４１は前後方向に出没する。
天板４１の下面における後辺部には、当接部４３が下向きに突設してある。当接部４３の先端部は、前壁２１の上端面よりも低い位置にある。
【００５９】
天板４１の前辺部における左右方向中央部は、収容棚４２によって下側から支持されている。つまり、収容棚４２は机４の脚部として機能する。収容棚４２の左右方向の長さは、天板４１の左右方向の長さよりも短い。
収容棚４２は、前側が開放されている箱型をなす。収容棚４２の天壁４２１は天板４１の下面に取り付けられている。収容棚４２の底壁４２２にはキャスター４２３，４２３が配されているので、収容棚４２は前後方向に円滑に移動する。
収容棚４２は、棚板４２４，４２４によって上下３段に仕切られており、落下防止バー４２５によってボックスティッシュ又は雑誌等が収容可能にしてある。
【００６０】
収容棚４２の左右両側壁４２６，４２６の下端部は、底壁４２２よりも下方に弧状に突出し、先端部は床に接近配置されている。従って、使用者の足が底壁４２２の下側に進入してキャスター４２３と衝突してしまう事故の発生を抑制することができる。
収容棚４２の後壁４２７は、机用キャビネット２の前壁２１の前側にて前壁２１に対面配置されている。
【００６１】
机４を机用キャビネット２に向けて押し入れると、机４は後方移動し、後壁４２７が前壁２１に前側から当接したところで停止する。このとき、机４は机用キャビネット２に収容される。
前壁２１の前面と天壁２３の前端面との離隔距離は、収容棚４２の前後方向の長さと同程度である。従って、机４が机用キャビネット２に収容された状態でも、収容棚４２の前側開放は外部に露出している。故に、収容棚４２に対する物品の出し入れが容易である。
【００６２】
机４が机用キャビネット２に収容された場合、天板４１と前壁２１、後壁２２、左壁２４、右壁２５、及び底壁２６とに囲繞された空間が、物品収容空間２０１として利用可能である。
天板４１と天壁２３との間には空隙がある。故に、使用中の物品（例えば対戦中のボードゲーム）を天板４１に載置したまま机４を机用キャビネット２に収容することによって、一時的に使用を中断したい物品の仮置き場とすることが可能である。
【００６３】
机４を机用キャビネット２から引き出すと、机４は前方移動し、当接部４３が前壁２１に後側から当接したところで停止する。
机４を机用キャビネット２から引き出した状態で、天壁２３の蓋部材２３２を開放すれば、天壁開口２３３を通して物品収容空間２０１に対する物品の出し入れが可能になる。
なお、天壁２３に天壁開口２３３が存在しない場合、前壁２１に扉を設けてもよい。しかしながら、前壁２１に設けられた扉を開けて物品収容空間２０１に対し物品を出し入れするには、使用者が机４の下に潜る必要がある。
【００６４】
次に、椅子５について説明する。
椅子５の箱状部材５１は、箱組の抽斗状をなし、前後二重の前板５１ａ，５１ｂ、先板５１ｃ、左右両側の端板５１ｄ，５１ｄ、底板５１ｅ、及び仕切り板５１ｆを有する。
前板５１ａは、椅子５が椅子用キャビネット３に収容されている状態でも外部に露出する。前板５１ｂは前板５１ａの後面に密着配置されている。
【００６５】
底板５１ｅの下面には図示しないバネ付きのキャスターが配されているので、箱状部材５１は前後方向に円滑に移動する。
前板５１ａ，５１ｂ、先板５１ｃ、及び端板５１ｄ，５１ｄ夫々の下端面は、通常、床から離隔配置されている。しかしながら、箱状部材５１に対して下方向の外力（例えば使用者の体重によるもの）が加えられた場合、キャスターのバネが収縮することによって、これらの下端面が床に接する。
【００６６】
箱状部材５１の内部は、物品を収容する空間として利用することができる。物品収容の利便性向上のために、箱状部材５１の内部は、仕切り板５１ｆによって前後方向に２分割されている。なお、仕切り板５１ｆは着脱可能であってもよく、省略されてもよい。
【００６７】
箱状部材５１の上部は、前板５１ｂ、先板５１ｃ、及び端板５１ｄ，５１ｄに囲繞された開放部分である。
座面部材５２は前後左右方向に平らな板状をなしている。座面部材５２は、箱状部材５１の蓋部材として機能し、箱状部材５１の開放部分を開閉する。箱状部材５１を閉鎖している座面部材５２は、前板５１ｂ及び端板５１ｄ，５１ｄ夫々の上端面に載置される。座面部材５２の上面には、畳表又は革製のシート部材等が張り付けられている。
座面部材５２は、使用者が座面部材５２を箱状部材５１から持ち上げることによって箱状部材５１を開放する。なお、座面部材５２は、ヒンジ蓋状又はスライド蓋状に箱状部材５１を開閉する構成でもよい。
【００６８】
先板５１ｃの上端部は、箱状部材５１を閉鎖している座面部材５２よりも高く突出している。先板５１ｃの上端部が椅子用キャビネット３の被当接部材３５に後側から当接することによって、椅子５が椅子用キャビネット３から完全に取り出されることが抑制されている。
なお、椅子５は椅子用キャビネット３から完全に取り出させる構成でもよい。
【００６９】
以上のようなキャビネット１は、机４を介在して２個の椅子５，５が左右方向に対向配置されている。
従って、椅子５，５を両方とも椅子用キャビネット３，３から引き出せば、２人の使用者が夫々椅子５，５に座ることができる。
このとき、２人の使用者は対面していてもよいが、対面していなくてもよい。例えば、２人の使用者は何れも同じ方向（例えば前方向）を向いていてもよい。
また、椅子５，５と共に机４を引き出せば、２人の使用者が机４を共用することができる。無論、一方の使用者は机４を使用しなくてもよい。
キャビネット１は一人で使用してもよい。この場合、使用者は一方の椅子５を引き出して座る。このとき、使用者は机４も引き出して使用してもよい。
【００７０】
つまり、キャビネット本体１１に対して机４と椅子５，５とが個別に出し入れ可能である。故に、机４及び椅子５，５の内、必要な物だけを引き出して使用することができる。換言すれば、机４を使用する際に椅子を別途用意する必要がなく、机４だけ（又は椅子５だけ）を使用する際に机４と椅子５とを両方とも引き出す必要がない。即ち、キャビネット１は利便性が高い。
また、不使用時の机４と椅子５，５とをキャビネット本体１１に対してコンパクトに収容しておくことができる。従って、机４又は椅子５が引き出されていた場所（図３にて二点鎖線で示されている部分）を、別の目的で（例えば通路として）使用することができる。
【００７１】
天壁３３は天壁２３と同じ高さに配置する必要があるので、仮に、抽斗３６が存在しない場合、椅子５と天壁３３との間がデッドスペースになる。つまり、抽斗３６が存在することによって、キャビネット１にデッドスペースが生じることを抑制することができる。
椅子５は、使用者が座る目的で使用しない場合にも抽斗３６と同様に物品の収容に使用することができる。また、机用キャビネット２は、机４を収容し、且つ、他の物品を物品収容空間２０１に収容することができる。しかも、長押１２２に物品を掛止し、棚板１２３に物品を載置することができる。
【００７２】
以上の結果、キャビネット１は物品収容能力が高く、複数の家具（キャビネット、寝台、机、及び椅子等）をコンパクトにまとめて使用者に提供することができる。即ち、キャビネット１は室内空間の効率的な利用に寄与する。
【００７３】
実施の形態  ２．
図６は、本発明の実施の形態２に係るキャビネット１の構成を略示する正面図である。図６は、実施の形態１の図２に対応する。
本実施の形態のキャビネット１は、実施の形態１のキャビネット１と略同様の構成である。以下では、実施の形態１との差異について説明し、その他、実施の形態１に対応する部分には同一符号を付してそれらの説明を省略する。
キャビネット１は、実施の形態１の机４に替えて、机６を備えている。
机６は、机本体６１と、天板部材６２と、ヒータ６３と、断熱シート６４とを有する。
【００７４】
机本体６１の構成は、実施の形態１の机４の構成と同様である。つまり、机本体６１は天板４１及び収容棚４２を有する。ただし、図６において収容棚４２の図示は省略している。
机本体６１と机４との差異は、机本体６１の場合、天板４１の下面に図示しない鉄板が取り付けてある点、及び、収容棚４２の左右方向の長さが、天板４１の左右方向の長さと同程度であり、且つ、収容棚４２の後壁４２７の下端部が底壁４２２よりも下側に突出して先端部が床に接近配置されている点である。収容棚４２の後壁４２７は、本発明の実施の形態における対面板として機能する。
天板４１の左端面（及び右端面）と左壁２４の右面（及び右壁２５の左面）との間は、断熱シート６４の厚みよりも長く離隔している。
【００７５】
天板部材６２は、矩形平板状をなす。天板部材６２は天板４１上に載置される。
天板４１上に載置された天板部材６２の上面と天壁２３の下面との間は、断熱シート６４の厚みよりも長く離隔している。
机本体６１及び天板部材６２と天壁２３、左壁２４、及び右壁２５との間の空間は、シート収容空間２０２として機能する。
【００７６】
ヒータ６３は前後左右方向に平らな板状をなし、下面側が発熱する。ヒータ６３の上面側には図示しない永久磁石が配されている。ヒータ６３は机本体６１における天板下面の鉄板に着脱可能に装着される。
ヒータ６３は、図示しない電源コードを有する。ヒータ６３の電源コードは、例えば机用キャビネット２の前壁開口２１１を通して物品収容空間２０１に引き入れられ、物品収容空間２０１に配されている図示しない電源タップに接続されている。この電源タップは、後壁２２の開口から机用キャビネット２の外部に引き出された電源コードを介して部屋のコンセントに接続されている。
【００７７】
断熱シート６４は柔軟性を有し、例えばボア生地、フリース生地、フェルト生地、又は毛織物等を用いてなる。断熱シート６４は、一般的なシングルサイズの薄手の毛布又はタオルケット等でもよい。この場合、断熱シート６４を就寝時に寝具として流用することができる。
断熱シート６４は、机本体６１を覆う。具体的には、断熱シート６４は机本体６１の天板４１上を覆い、更に、天板４１から床へ垂下する。天板４１上を覆う断熱シート６４の上に天板部材６２を重ねれば、天板部材６２と天板４１との間で断熱シート６４が挟持されるので、断熱シート６４の脱落が抑制される。
収容棚４２の前側を断熱シート６４で覆う必要はない。故に、机本体６１を断熱シート６４で覆っている場合にも、収容棚４２に対する物品の出し入れは容易である。
【００７８】
机６が机用キャビネット２に収容されると、シート収容空間２０２に断熱シート６４が収容される。このとき、断熱シート６４は前壁２１の前面に当接して柔軟に変形する。
机６が机用キャビネット２から引き出されると、前壁２１、収容棚４２、及び断熱シート６４と床とに囲繞された閉鎖空間２０３が形成される。
ヒータ６３は、ヒータ６３の下方の空気を加熱する。加熱された空気は、閉鎖空間２０３の内部にて対流するので、閉鎖空間２０３の内部が保温される。
【００７９】
閉鎖空間２０３は気密性を有していないので、閉鎖空間２０３内外の空気が入れ替わることによって内部の熱が逃げる。また、前壁２１及び机本体６１等を伝導して内部の熱が逃げる。しかしながら、断熱シート６４が存在しない場合に比べれば、閉鎖空間２０３の内部の保温性は十分に実用的である。
ところで、物品の出し入れの利便性を損なっても特段の問題がないのであれば、収容棚４２の前側を断熱シート６４で覆うことにより、閉鎖空間２０３の保温性は向上する。
【００８０】
なお、収容棚４２の構成が実施の形態１の構成と全く同じである場合には、収容棚４２の前側を断熱シート６４で覆う方が望ましい。
また、断熱シート６４と共に、又は、断熱シート６４に替えて、断熱シート６４より小型軽量の断熱シートが机６に備えられていてもよい。この断熱シートは、天板４１とヒータ６３との間にて挟持され、椅子５に座る使用者の足を膝掛けのように覆う。
【００８１】
以上のようなキャビネット１は、実施の形態１のキャビネット１と同様の作用効果を奏する。
しかも、机６は冬季にコタツとして利用することができる。このとき、天板部材６２及び断熱シート６４は、コタツ板及びこたつ布団として機能する。
一方、机６は春季から秋季まで実施の形態１の机４と同様に利用することができる。このとき、天板部材６２及び断熱シート６４は、例えば物品収容空間２０１に収容しておけばよい。
なお、机本体６１の軽量化のために、天板４１が例えば格子枠状をなしていてもよい。この場合、天板部材６２を天板４１に常に載置してあればよい。
【００８２】
実施の形態１，２のキャビネット１は寝台用であるが、これに限定されず、例えば台所用でもよい。この場合、キャビネット本体１１は例えば調理台として利用可能に構成されていてもよい。
【００８３】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
また、本発明の効果がある限りにおいて、キャビネット１に、実施の形態１，２に開示されていない構成要素が含まれていてもよい。
【符号の説明】
【００８４】
１      キャビネット
１１    キャビネット本体
１１１  ヘッドボード
１２１  板状部材
１２２  長押（被掛止部）
１２３  棚板（被載置部）
２      机用キャビネット
２１    前壁
２３    天壁
２３１  天壁本体
２３２  蓋部材
２４    左壁（側壁）
２４１，２５１  案内レール
２５    右壁（側壁）
３      椅子用キャビネット
３６    抽斗
４，６  机
４１    天板
４２    収容棚（キャスター付き収容棚）
４２７  後壁（対面板）
５      椅子
５１    箱状部材
５２    座面部材
６１    机本体
６２    天板部材
６３    ヒータ
【図１】
0006532282.tif 000002
【図２】
0006532282.tif 000003
【図３】
0006532282.tif 000004
【図４】
0006532282.tif 000005
【図５】
0006532282.tif 000006
【図６】
0006532282.tif 000007